(57)【要約】【課題】安価な構成で、敵対する相手が使用する銃器等に応じた性能を備えることのできる、防護盾用アタッチメント、及び、アタッチメント式防護盾を提供する。【解決手段】アタッチメント式防護盾１は、板状の本体部２１と、本体部２１に支持されるとともに、本体部２１を防護盾１０における板状の盾部１１に取付可能とする取付部材である上部・下部帯状部材２２・２５、第一・第三面ファスナー２３・２６、及び、第二・第四面ファスナー２４・２７と、を備え、本体部２１が、取付部材により、盾部１１の少なくとも一部分において盾部１１の厚さ方向に重ねて取付けられる。【選択図】図１
2019100550.tif 000002
【特許請求の範囲】
【請求項１】
板状の本体部と、
前記本体部に支持されるとともに、前記本体部を防護盾における板状の盾部に取付可能とする、取付部材と、を備え、
前記本体部が、前記取付部材により、前記盾部の少なくとも一部分において前記盾部の厚さ方向に重ねて取付けられる、防護盾用アタッチメント。
【請求項２】
前記本体部が防弾材で形成される、請求項１に記載の防護盾用アタッチメント。
【請求項３】
前記本体部における前記盾部と対向する面には、前記厚さ方向と直交する方向における前記盾部に対する相対位置を規制する位置決め部が形成される、請求項１又は請求項２に記載の防護盾用アタッチメント。
【請求項４】
前記本体部における前記盾部と対向する面に、前記位置決め部として孔部が形成され、
前記盾部において前記厚さ方向に突出する覗き窓外周部が前記孔部に挿入されることにより、前記厚さ方向と直交する方向における前記本体部の前記盾部に対する相対位置が規制される、請求項３に記載の防護盾用アタッチメント。
【請求項５】
前記孔部は前記本体部を前記厚さ方向に貫通して形成され、
前記本体部の前記盾部と背向する面における前記孔部の周縁部に、前記孔部を閉塞可能な蓋部材が設けられる、請求項４に記載の防護盾用アタッチメント。
【請求項６】
前記本体部における前記盾部と対向する面に、前記位置決め部として貫通孔が形成され、
前記盾部において前記厚さ方向に突出する把手部が前記貫通孔に挿入されることにより、前記厚さ方向と直交する方向における前記本体部の前記盾部に対する相対位置が規制される、請求項３に記載の防護盾用アタッチメント。
【請求項７】
前記取付部材として、前記本体部に一端が固定される帯状部材と、前記帯状部材の他端に固定される係合部材と、前記本体部に配設されて前記係合部材と係合する被係合部材と、を備え、前記帯状部材を前記盾部に巻回した状態で前記係合部材と前記被係合部材とを係合することにより、前記本体部が前記盾部に取りつけられる、請求項１から請求項６の何れか１項に記載の防護盾用アタッチメント。
【請求項８】
前記係合部材及び前記被係合部材として、接着可能な一対の面ファスナーが配設される、請求項７に記載の防護盾用アタッチメント。
【請求項９】
防護盾と、請求項１から請求項８の何れか１項に記載の防護盾用アタッチメントと、が前記厚さ方向に積層されて組付けられる、アタッチメント式防護盾。
【発明の詳細な説明】
【技術分野】
【０００１】
本発明は、防弾及び防刃を目的とした、防護盾用アタッチメント、及び、アタッチメント式防護盾に関する。
【背景技術】
【０００２】
従来、銃器等を用いた暴力から身体を保護するための防護盾が知られている（例えば、特許文献１を参照）。防護盾には、敵対する相手が使用する銃器等に応じた性能が必要となる。具体的には、小銃（ライフル銃）は拳銃と比較して威力が大きいため、相手が小銃を使用する場合は、防護盾には相手が拳銃を使用する場合よりも高い防護性が必要となる。詳細には、同じ材質の防護盾を用いる際は、小銃を相手にする場合は拳銃を相手にする場合よりも厚さの大きな防護盾が必要となる。
【０００３】
一方、厚さの大きな防護盾は重量が大きくなるため、防護盾の使用中は迅速な移動が困難となる。このため、相手が拳銃を持ちながら移動しているような場合には、厚さが小さく軽量の防護盾を使用する必要がある。しかし、銃器の種類ごとに性能（厚さ）の異なる防護盾を準備する場合、複数種類の防護盾を製造又は購入する必要があるため、費用負担が大きくなっていた。
【先行技術文献】
【特許文献】
【０００４】
【特許文献１】特開２０１０−１０７０５７号公報
【発明の概要】
【発明が解決しようとする課題】
【０００５】
本発明は以上の如き状況に鑑みてなされたものであり、本発明が解決しようとする課題は、安価な構成で、敵対する相手が使用する銃器等に応じた性能を備えることのできる、防護盾用アタッチメント、及び、アタッチメント式防護盾を提供することである。
【課題を解決するための手段】
【０００６】
以下では、上記課題を解決するための手段を説明する。
【０００７】
本発明に係る防護盾用アタッチメントは、板状の本体部と、前記本体部に支持されるとともに、前記本体部を防護盾における板状の盾部に取付可能とする、取付部材と、を備え、前記本体部が、前記取付部材により、前記盾部の少なくとも一部分において前記盾部の厚さ方向に重ねて取付けられるものである。
【０００８】
また、防護盾用アタッチメントは、前記本体部が防弾材で形成されるものである。
【０００９】
また、防護盾用アタッチメントは、前記本体部における前記盾部と対向する面には、前記厚さ方向と直交する方向における前記盾部に対する相対位置を規制する位置決め部が形成されるものである。
【００１０】
また、防護盾用アタッチメントは、前記本体部における前記盾部と対向する面に、前記位置決め部として孔部が形成され、前記盾部において前記厚さ方向に突出する覗き窓外周部が前記孔部に挿入されることにより、前記厚さ方向と直交する方向における前記本体部の前記盾部に対する相対位置が規制されるものである。
【００１１】
また、防護盾用アタッチメントは、前記孔部が前記本体部を前記厚さ方向に貫通して形成され、前記本体部の前記盾部と背向する面における前記孔部の周縁部に、前記孔部を閉塞可能な蓋部材が設けられるものである。
【００１２】
また、防護盾用アタッチメントは、前記本体部における前記盾部と対向する面に、前記位置決め部として貫通孔が形成され、前記盾部において前記厚さ方向に突出する把手部が前記貫通孔に挿入されることにより、前記厚さ方向と直交する方向における前記本体部の前記盾部に対する相対位置が規制されるものである。
【００１３】
また、防護盾用アタッチメントは、前記取付部材として、前記本体部に一端が固定される帯状部材と、前記帯状部材の他端に固定される係合部材と、前記本体部に配設されて前記係合部材と係合する被係合部材と、を備え、前記帯状部材を前記盾部に巻回した状態で前記係合部材と前記被係合部材とを係合することにより、前記本体部が前記盾部に取りつけられるものである。
【００１４】
また、防護盾用アタッチメントは、前記係合部材及び前記被係合部材として、接着可能な一対の面ファスナーが配設されるものである。
【００１５】
また、本発明に係るアタッチメント式防護盾は、防護盾と、請求項１から請求項８の何れか１項に記載の防護盾用アタッチメントと、が前記厚さ方向に積層されて組付けられるものである。
【発明の効果】
【００１６】
本発明に係る防護盾用アタッチメント、及び、アタッチメント式防護盾によれば、安価な構成で、敵対する相手が使用する銃器等に応じた性能を備えることが可能となる、という効果を奏する。
【図面の簡単な説明】
【００１７】
【図１】第一実施形態に係るアタッチメント式防護盾を示す前方斜視図。
【図２】第一実施形態に係るアタッチメント式防護盾を示す後方斜視図。
【図３】第一実施形態に係るアタッチメント式防護盾の組付け構成を示す前方斜視図。
【図４】第一実施形態に係るアタッチメント式防護盾を示す平面図。
【図５】第二実施形態に係るアタッチメント式防護盾を示す前方斜視図。
【図６】第三実施形態に係るアタッチメント式防護盾を示す後方斜視図。
【図７】第三実施形態に係るアタッチメント式防護盾の組付け構成を示す後方斜視図。
【図８】第三実施形態に係るアタッチメント式防護盾を示す平面図。
【発明を実施するための形態】
【００１８】
〈第一実施形態〉
以下では図１から図４を用いて、第一実施形態に係る防護盾用アタッチメント（以下、単に「アタッチメント」と記載する）２０を備えた、アタッチメント式防護盾１について説明する。図１中に示す矢印は使用状態におけるアタッチメント式防護盾１の方向を示している。図１に示す如く、アタッチメント式防護盾１は使用状態において上下方向に長手方向を有する略矩形状で、前後方向に厚み有する板状に形成される。
【００１９】
アタッチメント式防護盾１は、主に警護や軍事、テロ対策等の場面で使用者の防弾用又は防刃用として用いられる。図１から図４に示す如く、アタッチメント式防護盾１は、防護盾１０とアタッチメント２０とが厚さ方向（前後方向）に積層されて組付けられることにより構成されている。本実施形態においては、防護盾１０の前面にアタッチメント２０を積層してアタッチメント式防護盾１を構成している。本実施形態における防護盾１０は既製品が用いられている。本実施形態において、防護盾１０とアタッチメント２０とは正面視で略同形の矩形板状に形成されている。
【００２０】
なお、アタッチメント式防護盾１（防護盾１０及びアタッチメント２０）の形状は矩形に限定されることはなく、アタッチメント式防護盾１を長方形、円形、五角形等、他の形状とすることも可能である。また、アタッチメント２０は防護盾１０と同形状であってもよく、異なる形状であっても良い。ただし、地面に載置したアタッチメント式防護盾１で使用者の体を相手から遮蔽する使用方法として用いる場合は、防護盾１０とアタッチメント２０とのうち何れか一方を矩形状とすることが好ましい。
【００２１】
アタッチメント式防護盾１の大きさは、使用者の体を相手から遮蔽し、使用者が持ち運び可能であるという観点より、横幅３００〜２０００ｍｍ×上下長さ３００〜２０００ｍｍである事が好ましい。ただし、アタッチメント式防護盾１は、上記の如く地面に設置して使用する大型の設置型盾でも、使用者が手にもって使用する小型の片手盾であっても差し支えない。特に大型盾の場合、地面に設置した際に安定させることができるように、盾下部に設置部（平端部）を形成する事が好ましい。
【００２２】
防護盾１０は、持ち運び易さを備えるために、１５ｋｇ以下とすることが好ましい。また、アタッチメント２０は持ち運び易さを備えるために、１５ｋｇ以下とすることが好ましい。即ち、アタッチメント式防護盾１の重量は、３０ｋｇ以下とすることが好ましい。
【００２３】
図１から図４に示す如く、防護盾１０は、上下に長手方向を有する矩形状に形成され、前後に厚みを有する板状の盾部１１と、盾部１１の上部に配設される覗き窓１２と、盾部１１の後面に配設される第一把手部１３及び第二把手部１４と、を備える。
【００２４】
本実施形態において、盾部１１は対拳銃用の防弾強度を有する厚さの防弾材で形成される。具体的には、ポリカーボネート等の樹脂製素材で形成される。また、鉄、アルミニウム等の金属製素材でも良い。盾部１１の外周縁部には補強部材１１ａが配設されている。
【００２５】
覗き窓１２は、盾部１１を厚さ方向に貫通した開口部に透明な強化ガラスＧが嵌める込まれることにより形成されている。覗き窓１２の外周部１２ａは盾部１１の厚さ方向のうち前方に向かって突出して形成されている（図３を参照）。
【００２６】
図２に示す如く、盾部１１の後面における覗き窓１２の右側方には、上下方向に長手方向を有する第一把手部１３が、盾部１１の厚さ方向のうち後方に向かって突出して形成されている。また、盾部１１の後面における覗き窓１２の下方には、上下方向に長手方向を有する第二把手部１４が、盾部１１の厚さ方向のうち後方に向かって突出して形成されている。アタッチメント式防護盾１（防護盾１０）の使用者は、右手で第一把手部１３を握り、左手で第二把手部１４を握ることで、自身の体の前方でアタッチメント式防護盾１を支持する。
【００２７】
本実施形態に係るアタッチメント２０は、防護盾１０の盾部１１と略同形状に形成された板状の本体部２１を備える。本体部２１は防弾材で形成される。具体的には、ポリカーボネート等の樹脂製素材で形成される。また、鉄、アルミニウム等の金属製素材でも良い。本体部２１の外周縁部には補強部材２１ａが配設されている。なお、アタッチメント２０の本体部２１における前面に取手部を形成し、使用者が取手部を把持して持ち運びできるように構成することも可能である。
【００２８】
アタッチメント２０を使用する際は図１から図４に示す如く、盾部１１に対して厚さ方向に積層されて組付けられる。詳細には、盾部１１の前面とアタッチメント２０の後面とが対向するように当接された状態で組付けられる。アタッチメント２０を盾部１１に組付けた状態において、アタッチメント式防護盾１は対小銃用の防弾強度を有する厚さとなる。
【００２９】
本体部２１の上部には、上下方向及び左右方向（盾部１１の厚さ方向である前後方向と直交する方向）における盾部１１に対する相対位置を規制する位置決め部として孔部２１ｂが本体部２１を貫通して形成されている。孔部２１ｂの内周形状は覗き窓１２の外周部１２ａの外周形状と略同形状で少し大きく形成される。アタッチメント２０を盾部１１に組付ける際には、図３中の矢印Ａに示す如く、盾部１１において前方に突出する外周部１２ａが孔部２１ｂに挿入される。これにより、上下方向及び左右方向における本体部２１の盾部１１に対する相対位置が規制される。このように、本実施形態においては、盾部１１に対する本体部２１の位置決めを行うために、防護盾１０に本来配置されている部材である外周部１２ａを用いているため、盾部１１に位置決め用の突起等を別途形成する必要がない。
【００３０】
本実施形態においては、位置決め部として本体部２１を貫通する孔部２１ｂを形成したが、位置決め部は盾部１１との相対変位が規制される構成であれば良く、必ずしも本体部２１を貫通する必要はない。即ち、本体部２１の後面に窪みを形成し、その窪みに盾部１１の外周部１２ａを挿入する構成とすることもできる。さらに、この窪みの底面に、強化ガラスＧと重なるような透明窓を形成しても良い。この透明窓がポリカーボネートや強化ガラス等の強固な透明板であれば、覗き窓１２部分の防護性能を向上させる事ができる。また、盾部１１に位置決め用の突起等を別途形成し、その突起等を本体部２１の窪みを挿入する構成とすることも可能である。また、位置決め部の構成として、凹部、凸部、穴部の嵌合構造や係合構造等、他の構成を採用することも可能である。さらに、位置決め部の構成として、ボルト留め、又は、面ファスナー、粘着テープ、接着剤、溶着処理等の接合構造を用いることも可能である。
【００３１】
アタッチメント２０は第一の取付部材として、本体部２１の前面における上側左端部に一端が固定される樹脂製の上部帯状部材２２と、上部帯状部材２２の他端に固定される係合部材である第一面ファスナー２３と、本体部２１の前面における上側右端部に配設されて第一面ファスナー２３と係合（本実施形態においては接着）する一対の被係合部材である第二面ファスナー２４と、を備える。そして、図１、図２、及び図３（ｂ）に示す如く、上部帯状部材２２を盾部１１の後面上部に巻回した状態で、第一面ファスナー２３と第二面ファスナー２４とを接着するのである。
【００３２】
また、アタッチメント２０は第二の取付部材として、本体部２１の前面における下側左端部に一端が固定される樹脂製の下部帯状部材２５と、下部帯状部材２５の他端に固定される係合部材である第三面ファスナー２６と、本体部２１の前面における下側右端部に配設されて第三面ファスナー２６と係合（本実施形態においては接着）する一対の被係合部材である第四面ファスナー２７と、を備える。そして、図１及び図２に示す如く、下部帯状部材２５を盾部１１の後面下部に巻回した状態で、第三面ファスナー２６と第四面ファスナー２７とを接着するのである。
【００３３】
上記の如く、本実施形態におけるアタッチメント式防護盾１においては、上部帯状部材２２及び下部帯状部材２５をそれぞれ盾部１１の上部及び下部に巻回した状態で、第一面ファスナー２３と第二面ファスナー２４、及び、第三面ファスナー２６と第四面ファスナー２７とを接着することにより、アタッチメント２０の本体部２１が防護盾１０の盾部１１に取付けられる。具体的には、盾部１１に上部・下部帯状部材２２・２５を巻回させることにより、本体部２１は盾部１１に密着し、互いに前後方向への相対変位が規制される。さらに、防護盾１０の外周部１２ａがアタッチメント２０の孔部２１ｂに挿入されることにより、本体部２１は盾部１１に対して上下方向及び左右方向への相対変位が規制されている。即ち、本体部２１に盾部１１に対して各方向への変位が規制されることで強固に組付けられるのである。このように、本実施形態においては、既製品である防護盾１０に別途加工等を施すことなく、アタッチメント２０を組付けることができる。
【００３４】
なお、第二面ファスナー２４を別の帯状部材を介して本体部２１に取付け、二本の帯状部材の先端部（第一面ファスナー２３及び第二面ファスナー２４）を盾部１１の前面又は側面で接着させる構成とすることも可能である。また、上部・下部帯状部材２２・２５として弾性素材である帯状ゴムを用いることにより、盾部１１に対する本体部２１の組付け強度をより大きくすることができる。また、本体部２１と盾部１１との双方における対向する面に面ファスナーを取付け、互いの面ファスナーを接着させる構成とすることも可能である。
【００３５】
また、本実施形態においては上部・下部帯状部材２２・２５の先端部に固定される係合部材と本体部２１に固定される被係合部材として、互いに接着可能な一対の面ファスナーを用いたが、互いに係合可能な構成であれば、ピンと環状部材で係合させる構成や、二つのフックを係合させる構成など、他の構成とすることも可能である。ただし、軽量性、コストの低さ、離れにくさ、着脱の容易性、製造の容易性等を考慮すると、係合・被係合部材として面ファスナーを用いることが好ましい。
【００３６】
また、本実施形態においては取付部材として帯状部材と係合・被係合部材を用いたが、取付部材の構成は上記に限定されるものではなく、粘着テープ又は接着剤による接着、溶着処理等の接合構造や、ボルト留め、ベルト部材等による締め付け、クリップや万力といった別体の固定部材による固定等、アタッチメント２０が防護盾１０から容易に離脱しない構成とすることも可能である。また、取付部材の構成として凹凸部や穴の嵌め込みによる嵌合構造等を採用することもできる。
【００３７】
本実施形態に係るアタッチメント式防護盾１は上記の如く構成することにより、安価な構成で、敵対する相手が使用する銃器等に応じた性能を備えることが可能となる。具体的には、相手が拳銃を用いる場合はアタッチメント２０を防護盾１０から外して防護盾１０のみで対応することにより、厚さが小さく軽量の状態で防護盾１０を使用することができる。一方、相手が小銃（ライフル銃）を用いる場合はアタッチメント２０を防護盾１０に装着して使用することにより、より大きな威力の銃器に対しても防御することができる。つまり、アタッチメント式防護盾１を防弾用として用いる場合において、銃器の種類ごとに性能（厚さ）の異なる防護盾を準備する場合でも、購入済みの防護盾を利用する事が可能であり、複数種類の防護盾を製造又は購入する必要がないため、費用負担を小さくすることができるのである。
【００３８】
〈第二実施形態〉
次に、図５を用いて、第二実施形態に係るアタッチメント１２０を備えた、アタッチメント式防護盾１０１について説明する。以下に説明する実施形態において、防護盾１０については第一実施形態に係るアタッチメント式防護盾１と構成が共通している。このため、防護盾１０に関する構成については同符号を付して詳細な説明を省略し、アタッチメント式防護盾１におけるアタッチメント２０と異なる構成を有するアタッチメント１２０を中心に説明する。
【００３９】
本実施形態に係るアタッチメント１２０は、防護盾１０の盾部１１と略同形状に形成された板状の本体部１２１を備える。本体部１２１は第一実施形態における本体部２１と同様に防弾材で形成される。本体部１２１の外周縁部には補強部材１２１ａが配設されている。
【００４０】
アタッチメント１２０を使用する際は、図５に示す如く盾部１１に対して厚さ方向に積層されて組付けられる。アタッチメント１２０を盾部１１に組付けた状態において、アタッチメント式防護盾１は対小銃用の防弾強度を有する厚さとなる。本実施形態においても、第一実施形態と同様に、本体部１２１の上部には、上下方向及び左右方向における盾部１１に対する相対位置を規制する位置決め部として孔部が本体部１２１を貫通して形成されている。そして、アタッチメント１２０を盾部１１に組付ける際には、盾部１１において前方に突出する外周部が孔部に挿入される。
【００４１】
アタッチメント１２０は、本体部１２１の前面における上側左端部に一端が固定される樹脂製の上部帯状部材１２２と、上部帯状部材１２２の他端に固定される係合部材である第一面ファスナー１２３と、本体部１２１の前面における上側右端部に配設されて第一面ファスナー１２３と係合（本実施形態においては接着）する一対の被係合部材である第二面ファスナー１２４と、を備える。そして、図５に示す如く、上部帯状部材１２２を盾部１１の後面上部に巻回した状態で、第一面ファスナー１２３と第二面ファスナー１２４とを接着するのである。
【００４２】
また、アタッチメント１２０は第二の取付部材として、本体部１２１の前面における下側左端部に一端が固定される樹脂製の下部帯状部材１２５と、下部帯状部材１２５の他端に固定される係合部材である第三面ファスナー１２６と、本体部１２１の前面における下側右端部に配設されて第三面ファスナー１２６と係合（本実施形態においては接着）する一対の被係合部材である第四面ファスナー１２７と、を備える。そして、図５に示す如く、下部帯状部材１２５を盾部１１の後面下部に巻回した状態で、第三面ファスナー１２６と第四面ファスナー１２７とを接着するのである。
【００４３】
本実施形態に係るアタッチメント式防護盾１０１において、アタッチメント１２０の本体部１２１には、盾部１１と背向する面である前面における孔部の周縁部に、孔部を閉塞可能で本体部１２１と同じ素材の補強部材である蓋部材１２８が設けられる。具体的には、板状の蓋部材１２８の上端が、孔部の上側縁部にヒンジ１２９・１２９により回動可能に配設されている。アタッチメント式防護盾１０１においては、蓋部材１２８により覗き窓１２を補強することが可能となる。換言すれば、補強部材として蓋部材１２８を本体部１２１に設けることにより、本体部１２１を部分的に補強することができるのである。
【００４４】
なお、蓋部材１２８の組付け方法はヒンジによる回動機構に限定されることはなく、面ファスナー、粘着テープ又は接着剤による接着、溶着処理等の接合構造や、ボルト留め等を用いることも可能である。面ファスナー等により蓋部材１２８を着脱自在とした場合、アタッチメント式防護盾１０１の重量と防護性能のバランスを調整できる点において有用である。
【００４５】
〈第三実施形態〉
次に、図６から図８を用いて、第三実施形態に係るアタッチメント２２０を備えた、アタッチメント式防護盾２０１について説明する。
【００４６】
図６に示す如く、本実施形態に係るアタッチメント２２０は、防護盾１０の盾部１１よりも上下方向の長さが２／３程度に短く形成された板状の本体部２２１を備える。本体部２２１は第一実施形態における本体部２１と同様に防弾材で形成される。本体部２２１の外周縁部には補強部材２２１ａが配設されている。
【００４７】
アタッチメント２２０を使用する際は、図６から図８に示す如く盾部１１に対して厚さ方向に積層されて組付けられる。詳細には、盾部１１の後面とアタッチメント２２０の前面とが対向するように当接され、上辺が互いに一致した状態で組付けられる。換言すれば、アタッチメント２２０は盾部１１の上部２／３の部分と積層するように組付けられる。アタッチメント２２０を盾部１１に組付けた状態において、アタッチメント式防護盾２０１の上側２／３の部分（盾部１１と本体部２２１とが積層された部分）は対小銃用の防弾強度を有する厚さとなる。
【００４８】
本実施形態において、本体部２２１には、盾部１１に組付けた際に第一把手部１３と対向する部分に第一位置決め部として、本体部２２１を貫通する第一孔部２３１が形成されている。また、第二把手部１４と対向する部分に第二位置決め部として、本体部２２１を貫通する第二孔部２３２が形成されている。第一孔部２３１及び第二孔部２３２は、それぞれ第一把手部１３及び第二把手部１４と略同じ長さの長孔として形成されている。アタッチメント２２０を盾部１１に組付けた際に、使用者が本体部２２１によって第一把手部１３及び第二把手部１４を把持しにくくならないように、第一孔部２３１及び第二孔部２３２の上下方向中途部は拡幅されている。
【００４９】
アタッチメント２２０を盾部１１に組付ける際には、図７中の矢印Ｂ及び矢印Ｃに示す如く、盾部１１において後方に突出する第一把手部１３及び第二把手部１４がそれぞれ第一孔部２３１及び第二孔部２３２に挿入される。これにより、上下方向及び左右方向における本体部２２１の盾部１１に対する相対位置が規制される。
【００５０】
このように、本実施形態においては、盾部１１に対する本体部２２１の位置決めを行うために、防護盾１０に本来配置されている部材である第一把手部１３及び第二把手部１４を用いているため、盾部１１に位置決め用の突起等を別途形成する必要がない。また、本実施形態における第一孔部２３１及び第二孔部２３２の如く、位置決め部がアタッチメント２２０において左右非対称の形状をしている場合、アタッチメント２２０を裏返して盾部１１に組付けることができないため、アタッチメント２２０の前後面を取り違えて防護盾１０に組付ける虞がない。
【００５１】
アタッチメント２２０は、本体部２２１の後面における上側右端部に一端が固定される樹脂製の上部帯状部材２２２と、上部帯状部材２２２の他端に固定される係合部材である第一面ファスナー２２３と、本体部２２１の後面における上側左端部に配設されて第一面ファスナー２２３と係合（本実施形態においては接着）する一対の被係合部材である第二面ファスナー２２４と、を備える。そして、図８に示す如く、上部帯状部材１２２を盾部１１の前面上部に巻回した状態で、第一面ファスナー２２３と第二面ファスナー２２４とを接着するのである。
【００５２】
また、アタッチメント２２０は第二の取付部材として、本体部２２１の後面における下側右端部に一端が固定される樹脂製の下部帯状部材２２５と、下部帯状部材２２５の他端に固定される係合部材である第三面ファスナー２２６と、本体部２２１の後面における下側左端部に配設されて第三面ファスナー２２６と係合（本実施形態においては接着）する一対の被係合部材である第四面ファスナー２２７と、を備える。そして、図６に示す如く、下部帯状部材２２５を盾部１１の前面下側１／３程度の部分に巻回した状態で、第三面ファスナー２２６と第四面ファスナー２２７とを接着するのである。
【００５３】
上記の如く、本実施形態におけるアタッチメント式防護盾２０１においては、盾部１１に上部・下部帯状部材２２２・２２５を巻回させることにより、本体部２２１は盾部１１に密着し、互いに前後方向への相対変位が規制される。さらに、防護盾１０の第一把手部１３及び第二把手部１４がそれぞれ第一孔部２３１及び第二孔部２３２に挿入されることにより、本体部２２１は盾部１１に対して上下方向及び左右方向への相対変位が規制されている。即ち、本体部２２１に盾部１１に対して各方向への変位が規制されることで強固に組付けられるのである。このように、本実施形態においては、既製品である防護盾１０に別途加工等を施すことなく、アタッチメント２２０を組付けることができる。
【００５４】
本実施形態に係るアタッチメント式防護盾２０１において、アタッチメント２２０は盾部１１よりも上下方向の長さが２／３程度に短く形成されており、盾部１１の上部２／３の部分と積層するように組付けられる。これにより、使用者がアタッチメント式防護盾２０１を使用する際に、下半身よりも比較的高く防護性能が求められる上半身を重点的に防護することができる。また、アタッチメント２２０は、前記実施形態に記載のアタッチメント２０・１２０等の如く盾部１１と同形状とする場合と比較して重量を小さくすることができるため、アタッチメント式防護盾２０１の総重量を前記実施形態よりも小さくすることが可能となる。
【符号の説明】
【００５５】
１        アタッチメント式防護盾        １０        防護盾
１１        盾部                          １１ａ      補強部材
１２        覗き窓                        １２ａ      外周部
１３        第一把手部                    １４        第二把手部
２０        アタッチメント（防護盾用アタッチメント）
２１        本体部                        ２１ａ      補強部材
２１ｂ      孔部                          ２２        上部帯状部材
２３        第一面ファスナー（係合部材）
２４        第二面ファスナー（被係合部材）
２５        下部帯状部材
２６        第三面ファスナー（係合部材）
２７        第四面ファスナー（被係合部材）
１０１        アタッチメント式防護盾
１２０        アタッチメント（防護盾用アタッチメント）
１２１        本体部                      １２１ａ      補強部材
１２２        上部帯状部材
１２３        第一面ファスナー（係合部材）
１２４        第二面ファスナー（被係合部材）
１２５        下部帯状部材
１２６        第三面ファスナー（係合部材）
１２７        第四面ファスナー（被係合部材）
１２８        蓋部材                      １２９        ヒンジ
２０１        アタッチメント式防護盾
２２０        アタッチメント（防護盾用アタッチメント）
２２１        本体部                      ２２１ａ      補強部材
２２２        上部帯状部材
２２３        第一面ファスナー（係合部材）
２２４        第二面ファスナー（被係合部材）
２２５        下部帯状部材
２２６        第三面ファスナー（係合部材）
２２７        第四面ファスナー（被係合部材）
２３１        第一孔部                    ２３２        第二孔部
Ｇ        強化ガラス
【図１】
2019100550.tif 000003
【図２】
2019100550.tif 000004
【図３】
2019100550.tif 000005
【図４】
2019100550.tif 000006
【図５】
2019100550.tif 000007
【図６】
2019100550.tif 000008
【図７】
2019100550.tif 000009
【図８】
2019100550.tif 000010